(57)【要約】洗濯水を貯蔵するタブと、該タブに回転可能に支持されるドラムと、該ドラムを回転させるモータと、前記タブの外郭を包む本体とを含めてなるドラム洗濯機において、前記ドラム洗濯機の運搬時にタブを本体に固定させるための締結装置が、前記本体を貫通してタブに締結される締結ボルトと、前記タブの後方に備えられ、前記締結ボルトとそれぞれ結合される締結ボスとで構成され、前記締結ボルトはヘッド部と、該ヘッド部から延長して、ネジ山が形成されず、前記締結ボスの内部に一部が挿入される胴体と、該胴体から延長されて、雄ネジが形成された雄ネジ部とで構成され、前記締結ボスは前記締結ボルトの雄ネジ部と対応するように雌ネジが形成される雌ネジ部と、前記締結ボスの入口部に前記締結ボルトの胴体の一部を収容するように形成される挿入溝とを含めてなることを特徴とする。
2004532661.tif 000002
【特許請求の範囲】
【請求項１】
洗濯水を貯蔵するタブと、該タブに回転可能に支持されるドラムと、該ドラムを回転させるモータと、前記タブの外郭を包む本体とを含めてなるドラム洗濯機において、
前記ドラム洗濯機の運搬時にタブを本体に固定させるための締結装置が、
前記本体を貫通してタブに締結される締結ボルトと、前記タブの後方に備えられ、前記締結ボルトとそれぞれ結合される締結ボスとで構成され、
前記締結ボルトはヘッド部と、該ヘッド部から延長されて、ネジ山が形成されず、前記締結ボスの内部に一部が挿入される胴体と、該胴体から延長されて、雄ネジが形成された雄ネジ部とで構成され、
前記締結ボスは前記締結ボルトの雄ネジ部と対応するように雌ネジが形成される雌ネジ部と、前記締結ボスの入口部に前記締結ボルトの胴体の一部を収容するように形成される挿入溝とを含めてなることを特徴とするドラム洗濯機の運搬用締結装置。
【請求項２】
前記締結ボルトの胴体の外径は雄ネジ部の谷径より大きい寸法で形成されることを特徴とする請求項１記載のドラム洗濯機の運搬用締結装置。
【請求項３】
前記締結ボスの挿入溝の内径は雌ネジ部の外径と同じか更に大きく形成されることを特徴とする請求項１記載のドラム洗濯機の運搬用締結装置。
【請求項４】
前記締結ボスはタブと一体で形成されることを特徴とする請求項１又は請求項３記載のドラム洗濯機の運搬用締結装置。
【請求項５】
前記締結ボスに締結される締結ボルトの外側には前記締結ボルトの胴体の外周面を包むボルトホルダーが更に備えられ、
前記ボルトホルダーと締結ボスの先端部とは互いに当接し、
前記ボルトホルダーと締結ボスとが当接する地点は前記締結ボルトの胴体の領域に位置することを特徴とする請求項１記載のドラム洗濯機の運搬用締結装置。
【請求項６】
前記ボルトホルダーの胴体を貫通する部分の外側には、
前記ボルトホルダーを包む形状のゴムブッシングが備えられ、
前記締結ボルトのヘッド部と前記ゴムブッシングとの間にはワッシャーが設けられることを特徴とする請求項５記載のドラム洗濯機の運搬用締結装置。
【発明の詳細な説明】
【０００１】
技術分野
本発明はドラム洗濯機に関し、特に、ドラム洗濯機の運搬時に本体にスプリングで支持されるタブの揺れを防止するため、前記タブを本体に固定させるドラム洗濯機の運搬用締結装置に関する。
【０００２】
発明の背景
一般に、洗濯機は洗濯物の汚れを化学的な分解作用や機械的な衝撃作用によって除去する機器である。
その中、ドラム洗濯機は内槽が立っている状態で回転するパルセーター洗濯機に比べて機器の全体的な高さを減らせるだけでなく、洗濯容量を更に増やすことができ、布の捩れなどの問題がほとんど発生しないので、その需要がますます増えつつある実状である。
【０００３】
以下、一般的なドラム洗濯機の構造を添付の図面を参照して詳細に説明する。
図１は一般的なドラム洗濯機の構造を示す断面図であって、ドラム洗濯機は大きく分けて本体１内にダンパー８とスプリング７により支持されるタブ２と、そのタブ内に回転可能に設けられる円筒状のドラム３と、該ドラムと軸連結された駆動部とからなる。
前記駆動部はタブ２の後面に備えられるローター４とステーター５とで構成され、前記ローターの駆動力をプーリやベルト無しに直接ドラム３に伝達するためドラムと共に回転する洗濯軸６がローター４に直接に連結される。
【０００４】
前記本体１の前面にはドラム３の開口部と対応するよう所定の位置にドア９が備えられ、前記ドアとドラムとの間にはシーリングのためのガスケット１０が備えられる。このように構成されたドラム洗濯機は、ローター４の回転力が洗濯軸６を介してドラム３に伝達され、前記ドラムが回転しながら洗濯物がバッフル３ａによって持ち上げられた後、重力によって落下することで洗濯が行われる。
一方、上述したようなドラム洗濯機を運搬する場合、前記タブ２がスプリング７及びダンパー８によって支持されるため、上下左右に揺れがあった。
【０００５】
これにより、タブ２の下方に備えられた駆動部に衝撃が加えられたり、本体１に損傷が加わるという問題が発生した。これを防止するために、前記タブ２を本体に固定させる運搬用締結装置が設けられ、該締結装置はタブの後面に形成された多数個の締結ボス１１と、本体に形成された挿入孔を貫通して前記締結ボスに結合される多数個の締結ボルト１２とからなる。
【０００６】
図２は従来のドラム洗濯機の運搬用締結装置を示す要部断面図であって、前記締結ボルトが締結ボスに結合される形態を拡大したものである。
図２に示すように、前記締結ボルト１２の先端の外周面には適正な長さを有する雄ネジ部１２ａが形成され、前記締結ボス１１の内週面には前記締結ボルトの雄ネジ部１２ａと噛み合う雌ネジ部１１ａが形成されており、前記雄ネジ部１２ａと雌ネジ部１１ａとが結合しながら締結ボルトと締結ボスとが締結する。
【０００７】
前記締結ボルト１２と締結ボス１１との締結時に前記締結ボルトの外周面をボルトホルダー１３が包んでおり、締結ボルトを保護すると同時にタブと本体との間隔を維持する。この際、ドラム洗濯機の運搬中に発生する衝撃は、タブ２に振動を加えるか、又は前記締結ボルト１２及び締結ボス１１に直接的な衝撃を加える。この場合、前記タブ２の振動は締結ボス１１とボルトホルダー１３とが接する部位の締結部位１２にベンディングモーメントや剪断力として作用する。
【０００８】
しかしながら、従来は前記締結ボルト１２の雄ネジ部１２ａが締結ボス１１の外部に露出しているため、前記締結ボルト１２の強度が弱いという問題点がある。
即ち、従来は前記締結ボルト１２が締結ボス１１に締結された状態で、前記締結ボルトの雄ネジ部１２ａが締結ボス１１の外部に露出するため、ドラム洗濯機の運搬時に発生する振動や衝撃によって前記締結ボス１１とボルトホルダー１３とが接する地点にある雄ネジ部１２ａの谷部に応力が集中した。
【０００９】
この場合、応力が集中する雄ネジ部１２ａの谷部に撓みが生じ、ひどい衝撃を受ける場合には破断のおそれが高かった。
即ち、前記締結ボス１１とボルトホルダー１３とが接する地点に位置する締結ボルト雄ネジ部の谷部は応力集中を起こすノッチの役割を果たすことで、タブに加えられる衝撃に対する締結ボルトの強度を弱化させるという問題がある。
従って、上記のような問題点を解決するためには、十分に大きい寸法の谷径を有する太い締結ボルトを使用するか、それとも別途の保護装置が要求される実状にある。
【００１０】
発明の詳細な説明
そこで、本発明は上記問題点を解決するために成されたもので、その目的はドラム洗濯機の運搬時にスプリングによって支持されるタブを固定すると同時に、外部の衝撃やタブの振動によって変形や破損が生じることのないドラム洗濯機の運搬用締結装置を提供することにある。
特に、既存の寸法の雄ネジ部及び雌ネジ部を有する締結ボルト及び締結ボスを用いながらも、外部の衝撃やタブの振動によって変形や破損が生じることないドラム洗濯機の運搬用締結装置を提供する。
【００１１】
上記目的を達成するために、本発明によるドラム洗濯機の運搬用締結装置は、洗濯水を貯蔵するタブと、該タブに回転可能に支持されるドラムと、該ドラムを回転させるモータと、前記タブの外郭を包む本体とを含めてなるドラム洗濯機において、前記ドラム洗濯機の運搬時にタブを本体に固定させるための締結装置が、前記本体を貫通してタブに締結される締結ボルトと、前記タブの後方に備えられ、前記締結ボルトとそれぞれ結合される締結ボスとで構成され、前記締結ボルトはヘッド部と、該ヘッド部から延長されて、ネジ山が形成されず、前記締結ボスの内部に一部が挿入される胴体と、該胴体から延長されて、雄ネジが形成された雄ネジ部とで構成され、前記締結ボスは前記締結ボルトの雄ネジ部と対応するように雌ネジが形成される雌ネジ部と、前記締結ボスの入口部に前記締結ボルトの胴体の一部を収容するように形成される挿入溝とを含めてなることを特徴とする。
【００１２】
一方、前記締結ボルトの胴体の外径は雄ネジ部の谷径より大きい寸法で形成されることを特徴とする。
そして、前記締結ボスの挿入溝の内径は雌ネジ部の外径と同じか更に大きく形成されることを特徴とする。
また、前記締結ボスはタブと一体で形成されることを特徴とする。
【００１３】
一方、前記締結ボスに締結される締結ボルトの外側には前記締結ボルトの胴体の外周面を包むボルトホルダーが更に備えられ、前記ボルトホルダーと締結ボスの先端部とは互いに当接し、前記ボルトホルダーと締結ボスとが当接する地点は前記締結ボルトの胴体の領域に位置することを特徴とする。
この際、前記ボルトホルダーの胴体を貫通する部分の外側には、前記ボルトホルダーを包む形状のゴムブッシングが備えられ、前記締結ボルトのヘッド部と前記ゴムブッシングとの間にはワッシャーが設けられることを特徴とする。
【００１４】
発明を実施するための最良の形態
以下、本発明の好ましい実施形態によるドラム洗濯機の運搬用締結装置を添付の図面に基づいて詳細に説明する。
まず、図３ａは本発明によるドラム洗濯機の締結ボルトの構造を示す断面図であり、図３ｂは本発明によるドラム洗濯機の締結ボスを示す断面図であり、図４は本発明によるドラム洗濯機の運搬用締結装置が結合されたものを示す断面図である。
【００１５】
ここで、一般的なドラム洗濯機の構成に関する部分は上述した通りであるのでその説明を省略し、ドラム洗濯機のタブを本体に固定させる運搬用締結装置について詳述する。
図３ａに示すように、本発明によるドラム洗濯機の運搬用締結ボルト２０は、一定の外径を有する胴体２１と、該胴体の一端に本体に掛るように形成されるヘッド部２２と、前記胴体の他端に所定の長さだけ形成された雄ネジ部２３とからなる。この際、前記胴体の外径２１ｄは雄ネジ部２３の谷径２３ｄより更に大きく形成される。
【００１６】
一方、図３ｂに示すように、本発明によるドラム洗濯機の締結ボス３０は、タブ２の後面に本体１側に向かうように所定の長さだけ突出し、前記タブと一体で形成される。
この際、前記締結ボス３０は長手方向の中間に前記締結ボルト２０の雄ネジ部２３に対応する雌ネジ部３３が形成され、前記雌ネジ部の一端から入口までは前記締結ボス３０に締結ボルト２０を締結した時に、前記締結ボルトの胴体２１のうち一部が収容される挿入溝３１が形成される。
【００１７】
前記挿入溝３１の内周面にはネジ山が形成されない。この際、前記挿入溝の内径３１ｄの寸法は、締結ボルトの胴体が挿入されえるように雌ネジ部３３の外径３３ｄと少なくとも同じかそれ以上であるべきである。
このように構成される締結ボルトと締結ボスとの結合関係をさらに詳細に説明する。
【００１８】
図４に示すように、本発明によるドラム洗濯機の運搬用締結装置は、大きく分けて上述した締結ボス３０と締結ボルト２０とからなり、更に、前記締結ボルト２０を保護し、かつ本体１とタブ２との間隔を維持するために、前記締結ボルトの胴体２１の外周面を包むように設けられるボルトホルダー１３と、該ボルトホルダーの一端の外周面を包みながら本体の挿入孔１ａに挿入され、衝撃を吸収するゴムブッシング１４と、該ゴムブッシングと締結ボルトのヘッド部２２との間に設けられるワッシャー１５とで構成されている。
【００１９】
このように構成された締結装置の組立手順は、まず、ゴムブッシング１４にボルトホルダー１３を挿入して結合させた後、締結ボルトの胴体２１を介してヘッド部２２に掛るようにワッシャー１５を挿入し、前記結合されたゴムブッシング１４とボルトホルダー１３を締結ボルトの胴体２１に挿入する。
この際、前記ボルトホルダー１３の先端を介して締結ボルトの雄ネジ部２３のみが貫通するのではなく、締結ボスの挿入溝３１の長さ以上に締結ボルトの胴体２１のうち一部が貫通する。
【００２０】
ついで、前記ボルトホルダー及びゴムブッシングが設けられた締結ボルトを、本体の後方の挿入孔１ａを通じて押し入れ、ゴムブッシング１４の係止段１４ａが本体の挿入孔の周縁に掛るようにした後、前記ボルトホルダー１３の先端が締結ボス３０の入口に接するまでに締結ボルトを回転させ、前記締結ボスに結合する。
この際、前記締結ボスの雌ネジ部３３には締結ボルトの雌ネジ部２３が結合し、前記締結ボスの挿入溝３１には締結ボルトの胴体２１のうち一部が収容され、これによって前記タブ２は本体１にしっかり固定される。
【００２１】
上述したように、本発明によるドラム洗濯機の運搬用締結装置は、従来とは異なり、運搬時の衝撃や振動に最も弱い部分の締結ボス３０とボルトホルダー１３とが接する地点に締結ボルトの胴体２１が位置する。
従って、ドラム洗濯機の運搬時に外部の衝撃やタブの振動で発生する荷重によく耐えられる。
【００２２】
即ち、従来は前記締結ボスの外側に締結ボルトの雄ネジ部が露出することにより、タブの振動によるベンディングモーメントや剪断力が加えられると、前記締結ボスとボルトホルダーとが接する地点から最も近い露出した谷部から変形又は破損が発生しやすかったが、本発明による締結装置は前記地点に締結ボルトの胴体が位置することによって強度が向上し、剪断力やベンディングモーメントによく耐えられる。
【００２３】
産業上の利用可能性
以上説明したように、本発明によるドラム洗濯機の運搬用締結装置は、スプリング及びダンパーにより支持されるタブを運搬時に本体にしっかり固定させるために、胴体と該胴体の先端に雄ネジ部が形成された締結ボルトと、入口部に前記締結ボルトの胴体の一部が収容される挿入溝が形成され、入口部の内側には前記締結ボルトの雄ネジ部に対応する雌ネジ部が形成される締結ボスを用いる。
【００２４】
従って、前記タブの荷重が締結ボルトの雄ネジ部ではない胴体に作用し、前記胴体の外周面にはネジ山が形成されず、前記胴体の外径は雄ネジ部の谷径よりは大きいため、充分な強度が確保され、運搬時の衝撃などによく耐えられる。
結局、本発明によれば、従来とは異なり、雄ネジ部の谷径が充分に確保された太い締結ボルトを使用せずともタブの荷重や運搬時の衝撃などによる締結ボルトの変形や破損を防止できる。
【図面の簡単な説明】
【図１】
一般的なドラム洗濯機の構造を示す断面図である。
【図２】
従来のドラム洗濯機の運搬用締結装置を示す要部断面図である。
【図３ａ】
本発明によるドラム洗濯機の締結ボルトを示す断面図である。
【図３ｂ】
本発明によるドラム洗濯機の締結ボスを示す断面図である。
【図４】
本発明によるドラム洗濯機の運搬用締結装置を示す断面図である。
【国際公開パンフレット】
2004532661.tif 000003
2004532661.tif 000004
2004532661.tif 000005
2004532661.tif 000006
2004532661.tif 000007
2004532661.tif 000008
2004532661.tif 000009
2004532661.tif 000010
2004532661.tif 000011
2004532661.tif 000012
2004532661.tif 000013
2004532661.tif 000014
2004532661.tif 000015
2004532661.tif 000016
【国際調査報告】
2004532661.tif 000017